(57)【特許請求の範囲】
【請求項１】
変倍率に応じた第１分解能及び予め定められた第１読取周期で原稿の一方の面を走査して第１画像データを読み取る第１画像読取手段と、
光源を点灯させ、前記原稿の他方の面に照射し、前記原稿からの反射光を受光して蓄積し、第２画像データに変換する第２画像読取手段と、を備え、
前記第２画像読取手段は、固定された第２分解能及び前記変倍率に応じた第２読取周期で前記原稿の他方の面を走査して、前記原稿からの反射光を蓄積する時間である光蓄積時間を一定に制御することを特徴とする画像読取装置。
【請求項２】
前記第２画像読取手段は、前記光蓄積時間を前記第２読取周期の下限値以下に制御することを特徴とする請求項１に記載の画像読取装置。
【請求項３】
前記第２画像読取手段は、前記光源の点灯を制御して、前記光蓄積時間を前記下限値以下に制御することを特徴とする請求項２に記載の画像読取装置。
【請求項４】
前記第２画像読取手段は、前記第２読取周期毎に入力されるライン同期信号に従って前記原稿の他方の面を１ライン分走査し、前記ライン同期信号と同期して入力が開始されるとともに前記下限値以下で入力が終了される点灯信号に従って前記光源を点灯させることを特徴とする請求項３に記載の画像読取装置。
【請求項５】
前記第２画像読取手段は、前記第２読取周期毎に入力されるライン同期信号に従って前記原稿の他方の面を１ライン分走査し、前記ライン同期信号と同期して入力が開始されるとともに前記下限値以下で入力が終了される制御信号に従って前記光源から照射される光を蓄積することを特徴とする請求項２に記載の画像読取装置。
【請求項６】
前記変倍率に応じた搬送速度で原稿を搬送する搬送手段を更に備えることを特徴とする請求項１〜５のいずれか１つに記載の画像読取装置。
【請求項７】
前記第２画像データを前記変倍率で電気的に変倍する変倍手段を更に備えることを特徴とする請求項１〜６のいずれか１つに記載の画像読取装置。
【請求項８】
前記第１画像読取手段は、第１モードでは、前記変倍率に応じた前記第１分解能及び前記第１読取周期で前記原稿の一方の面を走査して前記第１画像データを読み取り、第２モードでは、予め定められた第１分解能及び前記第１読取周期で前記原稿の一方の面を走査して前記第１画像データを読み取り、
前記第２画像読取手段は、前記第１モードでは、前記第２分解能及び前記変倍率に応じた前記第２読取周期で前記原稿の他方の面を走査して前記第２画像データを読み取り、前記第２モードでは、前記第２分解能及び予め定められた第２読取周期で前記原稿の他方の面を走査して前記第２画像データを読み取り、
前記変倍手段は、更に、前記第２モードで読み取られた前記第１画像データを前記変倍率で電気的に変倍することを特徴とする請求項７に記載の画像読取装置。
【請求項９】
前記第１モードは、生産性を優先する生産性モードであり、前記第２モードは、再利用性を優先する再利用性モードであることを特徴とする請求項８に記載の画像読取装置。
【請求項１０】
前記第１モードは、第１アプリモードであり、前記第２モードは、第２アプリモードであることを特徴とする請求項８に記載の画像読取装置。
【請求項１１】
前記第１画像読取手段は、片面読取モードでは、前記変倍率に応じた前記第１分解能及び前記第１読取周期で前記原稿の一方の面を走査して前記第１画像データを読み取り、両面読取モードでは、予め定められた第１分解能及び前記第１読取周期で前記原稿の一方の面を走査して前記第１画像データを読み取り、
前記第２画像読取手段は、前記両面読取モードでは、前記第２分解能及び予め定められた第２読取周期で前記原稿の他方の面を走査して前記第２画像データを読み取り、
前記変倍手段は、更に、前記両面読取モードで読み取られた前記第１画像データを前記変倍率で電気的に変倍することを特徴とする請求項７に記載の画像読取装置。
【請求項１２】
請求項１〜１１のいずれか１つに記載の画像読取装置を備えることを特徴とする画像形成装置。
【請求項１３】
モードを入力するモード入力手段を更に備えることを特徴とする請求項１２に記載の画像形成装置。
【発明の詳細な説明】
【技術分野】
【０００１】
本発明は、画像読取装置及び画像形成装置に関する。
【背景技術】
【０００２】
近年、原稿読み取りの生産性向上、原稿の保護、及び静音性の向上などを目的として、原稿の両面を同時に読み取ることが可能な両面同時読取機構を有する画像読取装置が提案されている。このような画像形成装置では、一般的に、原稿の表面の読み取りには、従来の画像形成装置同様ＣＣＤ（Charge  Coupled  Device）が用いられ、原稿の裏面の読み取りには、ＣＩＳ（Contact  Image  Sensor：密着等倍イメージセンサ）が用いられている（例えば、特許文献１、２参照）。
【０００３】
ＣＩＳには、ＣＩＳモジュール内部で画像処理機能を有するものがある。このようなＣＩＳでは、ＣＩＳモジュール内部でのライン間補正が画像処理前に必要となるが、ライン間補正用のメモリを低減してコストを削減するため、副走査方向へは固定の分解能（走査速度）で読み取ることを前提としている場合がある。
【０００４】
このように分解能が固定されている場合、ＣＩＳは、変倍の指定がなされても分解能を変更して機械的に変倍を行うことができない。このため、ＣＩＳは、変倍の指定がなされた場合でも、変倍率によらず常に固定の分解能（等倍）で原稿を読み取る。そして、後段の画像処理部や制御部が、電気的な変倍処理により、ＣＩＳにより読み取られた画像データを指定された倍率へ変倍することになる。
【０００５】
例えば、固定の分解能が６００ｄｐｉであり、５０％に変倍するものとする。この場合、分解能が可変であれば、３００ｄｐｉで原稿を読み取ることにより、６００ｄｐｉで原稿の読み取る場合と比べ副走査方向に２倍の読取速度で原稿を読み取り、機械的な変倍を行うことが可能となる。しかし、分解能が固定されたＣＩＳでは、３００ｄｐｉで原稿を読み取って機械的な変倍を行うことはできず、６００ｄｐｉで原稿を読み取った後に電気的な変倍処理により、３００ｄｐｉへの変倍を行わなければならない。
【発明の概要】
【発明が解決しようとする課題】
【０００６】
上述したように、分解能が固定されている場合であっても電気的な変倍処理により変倍を行うことはできるものの、機械的な変倍を行う場合に比べ、原稿の読み取り速度が低下し、生産性が低下するという問題がある。
【０００７】
本発明は、上記事情に鑑みてなされたものであり、電気的な変倍を行う場合であっても、コストを削減するとともに、生産性の低下を防止することができる画像読取装置及び画像形成装置を提供することを目的とする。
【課題を解決するための手段】
【０００８】
上述した課題を解決し、目的を達成するために、本発明の一態様にかかる画像読取装置は、変倍率に応じた第１分解能及び予め定められた第１読取周期で原稿の一方の面を走査して第１画像データを読み取る第１画像読取手段と、光源を点灯させ、前記原稿の他方の面に照射し、前記原稿からの反射光を受光して蓄積し、第２画像データに変換する第２画像読取手段と、を備え、前記第２画像読取手段は、固定された第２分解能及び前記変倍率に応じた第２読取周期で前記原稿の他方の面を走査して、前記原稿からの反射光を蓄積する時間である光蓄積時間を一定に制御することを特徴とする。
【０００９】
また、本発明の別の態様にかかる画像形成装置は、上記画像読取装置を備えることを特徴とする。
【発明の効果】
【００１０】
本発明によれば、電気的な変倍を行う場合であっても、コストを削減するとともに、生産性の低下を防止することができるという効果を奏する。
【図面の簡単な説明】
【００１１】
【図１】図１は、第１実施形態のスキャナ装置の概略構成例を示す構成図である。
【図２】図２は、第１実施形態の複合機のハードウェア構成例を示すブロック図である。
【図３】図３は、第１実施形態の複合機の両面読取処理例を示すフローチャートである。
【図４】図４は、等倍読取を行う場合に第１実施形態の入力画像処理部とＣＩＳとの間でやり取りされる信号の一例を示すタイミングチャート図である。
【図５】図５は、１／２の変倍率で変倍読取を行う場合に第１実施形態の入力画像処理部とＣＩＳとの間でやり取りされる信号の一例を示すタイミングチャート図である。
【図６】図６は、変形例１の複合機で行われる両面読取処理例を示すフローチャートである。
【図７】図７は、変形例２の複合機で行われる両面読取処理例を示すフローチャートである。
【図８】図８は、変形例３の複合機で行われる読取処理例を示すフローチャートである。
【図９】図９は、第２実施形態のスキャナ装置の概略構成例を示す構成図である。
【図１０】図１０は、第２実施形態の複合機のハードウェア構成例を示すブロック図である。
【図１１】図１１は、第２実施形態の複合機の両面読取処理例を示すフローチャートである。
【図１２】図１２は、等倍読取を行う場合に第２実施形態の入力画像処理部とＣＩＳとの間でやり取りされる信号の一例を示すタイミングチャート図である。
【図１３】図１３は、１／２の変倍率で変倍読取を行う場合に第２実施形態の入力画像処理部とＣＩＳとの間でやり取りされる信号の一例を示すタイミングチャート図である。
【発明を実施するための形態】
【００１２】
以下、添付図面を参照しながら、本発明にかかる画像読取装置及び画像形成装置の実施形態を詳細に説明する。なお、以下の各実施形態では、画像形成装置として、スキャナ機能に加え、印刷機能、コピー機能、及びファクシミリ機能の少なくともいずれかの機能を有する複合機（ＭＦＰ：Multifunction  Peripheral）を例にとり説明するが、これに限定されるものではない。例えば、複写機やスキャナ装置などであってもよい。
【００１３】
（第１実施形態）
まず、第１実施形態の複合機の構成について説明する。
【００１４】
図１は、第１実施形態の複合機１０が備えるスキャナ装置１００（画像読取装置の一例）の概略構成の一例を示す構成図である。図１に示すように、スキャナ装置１００は、その下部に、原稿の表面を読み取る画像読取ユニット１１０（第１画像読取手段の一例）を備え、その上部に、原稿を搬送するＡＤＦ（Auto  Document  Feeder：原稿搬送装置）１４０を備える。ＡＤＦ１４０は、原稿の裏面を読み取るＣＩＳ（密着等倍イメージセンサ）１５０（第２画像読取手段の一例）を備える。
【００１５】
画像読取ユニット１１０は、ＡＤＦ１４０により搬送される原稿が上部を通過するスリットガラス１１２と、読取対象原稿を載置するコンタクトガラス１１４と、シェーディング補正データ生成用の基準白板１１６と、読取対象原稿を照射するランプ１１８及び第１ミラー１２０が搭載された第１キャリッジ１２２と、第２ミラー１２４及び第３ミラー１２６が搭載された第２キャリッジ１２８と、ＣＣＤイメージセンサ１３０上に縮小結像させるレンズユニット１３２と、ＣＣＤイメージセンサ１３０を搭載し、ＣＣＤイメージセンサ１３０から出力される画像信号に所定の処理を施して外部に出力する信号処理基板１３４と、を備える。なお、ランプ１１８は、光源であれば良く、例えば、ＬＥＤ（Light  Emitting  Diode）などを用いても良い。また、画像読取ユニット１１０は、第１キャリッジ１２２及び第２キャリッジ１２８を駆動する駆動モータ、ホームポジションを検出するホームポジションセンサ、及び原稿を検知する原稿検知センサ（いずれも図示省略）なども備える。
【００１６】
画像読取ユニット１１０では、載置読取方式又はシートスルー読取方式で原稿の表面を読み取ることができる。
【００１７】
載置読取方式は、ランプ１１８を点灯し、駆動モータにより第１キャリッジ１２２及び第２キャリッジ１２８を副走査方向に移動走査して、コンタクトガラス１１４上に載置された原稿の表面を読み取る読取方式である。載置読取方式の場合、画像読取ユニット１１０は、原稿の読み取りに先立って基準白板１１６のデータを取得し、シェーディング補正データを生成する。そして、画像読取ユニット１１０は、原稿読み取り領域のスキャン（読取動作）と平行してシェーディング補正処理を実行する。
【００１８】
シートスルー読取方式は、ランプ１１８を点灯し、第１キャリッジ１２２及び第２キャリッジ１２８を停止した状態のまま、ＡＤＦ１４０により搬送される原稿がスリットガラス１１２の上部を通過する際に原稿の表面を読み取る読取方式である。シートスルー読取方式の場合、画像読取ユニット１１０は、原稿の読み取りに先立って駆動モータにより第１キャリッジ１２２及び第２キャリッジ１２８を基準白板１１６の下に移動させてシェーディング補正データを生成する。そして、画像読取ユニット１１０は、駆動モータにより第１キャリッジ１２２及び第２キャリッジ１２８をシートスルー読み取り位置に復帰させてから、ＡＤＦ１４０により搬送される原稿の原稿読み取り領域のスキャン（読取動作）と平行してシェーディング補正処理を実行する。
【００１９】
なお、シートスルー読取方式の場合、ＣＩＳ１５０を使用して原稿の裏面を読み取ることもできる。つまり、シートスルー読取方式では、原稿の表面のみを読み取ることも可能であるし、原稿の両面を同時に読み取ることも可能である。
【００２０】
ＡＤＦ１４０は、原稿を載置する原稿トレイ１４２と、ＣＩＳ１５０に対向する位置に設けられた基準白色ローラ１４４と、原稿を排出する排紙トレイ１４６と、原稿搬送機構１４８（搬送手段の一例）とを、備える。また、ＡＤＦ１４０は、原稿搬送機構１４８を駆動する駆動モータ（図示省略）なども備える。画像読取ユニット１１０によりシートスルー読み取りが行われる場合、原稿搬送機構１４８は、原稿トレイ１４２に載置されている原稿を、スリットガラス１１２の上部、及びＣＩＳ１５０及び基準白色ローラ１４４の対向位置を経て、排紙トレイ１４６へ搬送する。
【００２１】
ＣＩＳ１５０は、光源としてＬＥＤ１５２を備えており、また、レンズアレイやセンサ素子（いずれも図示省略）なども備える。シートスルー読取方式で原稿の両面を同時に読み取る場合、ＣＩＳ１５０は、ＬＥＤ１５２を点灯して、ＡＤＦ１４０により搬送されＣＩＳ１５０の下部を通過する原稿の裏面を照射し、原稿からの反射光をレンズアレイでセンサ素子に集光して画像データに変換する。これにより、ＣＩＳ１５０は、ＡＤＦ１４０により搬送される原稿の裏面を読み取る。なお、ＣＩＳ１５０は、原稿の読み取りに先立って基準白色ローラ１４４のデータを取得し、シェーディング補正データを生成する。そして、ＣＩＳ１５０は、原稿読み取り領域のスキャン（読取動作）と平行してシェーディング補正処理を実行する。
【００２２】
なお第１実施形態では、画像読取ユニット１１０が原稿の表面を読み取り、ＣＩＳ１５０が原稿の裏面を読み取る例について説明するが、画像読取ユニット１１０が原稿の裏面を読み取り、ＣＩＳ１５０が原稿の表面を読み取るようにしてよい。また、画像読取ユニット１１０は、上述した構成の全てを必須の構成とする必要はなく、その一部を省略した構成としてもよい。
【００２３】
図２は、第１実施形態の複合機１０のハードウェア構成の一例を示すブロック図である。図２に示すように、複合機１０は、画像読取ユニット１１０と、ＣＩＳ１５０と、画像処理部２１０と、コントローラ２４０とを、備える。
【００２４】
画像処理部２１０は、データ変換部２１２と、データ変換部２１４と、ＣＰＵ（Central  Processing  Unit）２１６と、ＣＰＵメモリ２１８と、メモリ制御部２２０と、入力画像処理部２２２（変倍手段の一例）と、これら各部を接続するバス２２４とを、備える。また、画像処理部２１０は、メモリ制御部２２０に接続されているメモリ２２６と、入力画像処理部２２２に接続されている出力画像処理部２２８と、出力画像処理部２２８に接続されているＬＤ（レーザダイオード）ドライバ２３０とを、備える。なお、図２に示す構成の中では、例えば、画像読取ユニット１１０、ＣＩＳ１５０、及び画像処理部２１０（但し、出力画像処理部２２８及びＬＤドライバ２３０を除く）が、スキャナ装置１００に対応する。
【００２５】
画像読取ユニット１１０は、原稿の表面の画像データを読み取り、読み取った画像データをデータ変換部２１２及びメモリ制御部２２０を経て入力画像処理部２２２へ転送する。詳細には、信号処理基板１３４が、ＣＣＤイメージセンサ１３０から出力される画像データ（画像信号）に、Ａ／Ｄ変換処理、信号増幅処理、及びシェーディング処理などの所定の処理を施して、入力画像処理部２２２へ転送する。
【００２６】
ここで、画像読取ユニット１１０は、分解能が可変であるものとする。このため、ＣＰＵ２１６が、駆動モータを制御して、変倍率に応じた搬送速度で原稿搬送機構１４８に原稿を搬送させ、画像読取ユニット１１０が、変倍率に応じた分解能に変更して原稿の表面を走査して画像データを読み取ることにより、機械的に変倍を行うことができる。例えば、５０％の変倍指定がなされた場合、ＣＰＵ２１６が、等倍読取の場合の２倍の搬送速度で原稿搬送機構１４８に原稿を搬送させ、画像読取ユニット１１０は、分解能を等倍読取の場合の１／２にして原稿の表面を走査して画像データを読み取ることにより、機械的に５０％の変倍を行うことができる。
【００２７】
ＣＩＳ１５０は、原稿の裏面の画像データを読み取り、読み取った画像データをデータ変換部２１４及びメモリ制御部２２０を経て入力画像処理部２２２へ転送する。詳細には、ＣＩＳ１５０は、読み取った画像データ（画像信号）に、Ａ／Ｄ変換処理、信号増幅処理、及びシェーディング処理などの所定の処理を施して、入力画像処理部２２２へ転送する。
【００２８】
ここで、ＣＩＳ１５０は、上述したような画像処理を行う前にライン間補正を行っており、ライン間補正用のメモリを低減してコストを削減するため、副走査方向へは固定の分解能（走査速度）で読み取る仕様になっているものとする。従って、シートスルー読取方式で原稿の両面を読み取る場合、ＣＩＳ１５０は、常に固定の分解能（等倍）で原稿の裏面の画像データを読み取る。この読み取り方であっても、電気的に変倍（縮小）することはできるものの、機械的な変倍を行う場合に比べ、原稿の読み取り速度が低下し、生産性が低下してしまう。
【００２９】
そこで第１実施形態では、ＣＰＵ２１６が、駆動モータを制御して、変倍率に応じた搬送速度で原稿搬送機構１４８に原稿を搬送させ、ＣＩＳ１５０が、変倍率に応じた読取ライン周期に変更して原稿の裏面を走査して画像データを読み取り、入力画像処理部２２２が、読み取られた画像データを電気的に変倍する。例えば、５０％の変倍指定がなされた場合、ＣＰＵ２１６が、等倍読取の場合の２倍の搬送速度で原稿搬送機構１４８に原稿を搬送させ、ＣＩＳ１５０は、読取ライン周期を等倍読取の場合の１／２にして原稿の裏面を走査して画像データを読み取り、入力画像処理部２２２が、読み取られた画像データを電気的に５０％に変倍する。これにより、分解能が固定され電気的な変倍を行う場合であっても、原稿の読み取り速度の低下、及び生産性の低下を防止でき、機械的な変倍を行う場合と同様の生産性を保つことができる。
【００３０】
但し、変倍率（縮小率）に応じて読取ライン周期を短くするだけでは、ＬＥＤ１５２から照射される光の光蓄積時間も短くなってしまい、例えばＳ／Ｎの低下など読取特性の変化を招き、画像品質の劣化（変化）が生じてしまう。
【００３１】
そこで第１実施形態では、ＣＩＳ１５０は、光蓄積時間を読取ライン周期の下限値以下（一定）に制御する。具体的には、ＣＩＳ１５０は、ＬＥＤ１５２の点灯を制御して、光蓄積時間を読取ライン周期の下限値以下に制御する。これにより、読取ライン周期を変倍率に応じて変更しても光蓄積時間を一定に保つことができ、読取特性の変化、及び画像品質の劣化を防止することができる。
【００３２】
データ変換部２１２は、画像読取ユニット１１０から入力された画像データのフォーマットを入力画像処理部２２２に適合するフォーマットに変換する。データ変換部２１４は、ＣＩＳ１５０から入力された画像データのフォーマットを入力画像処理部２２２に適合するフォーマットに変換する。
【００３３】
メモリ制御部２２０は、データ変換部２１２及びデータ変換部２１４から入力された画像データを一旦メモリ２２６に書き込み、書き込んだ画像データをメモリ２２６から読み出して入力画像処理部２２２に転送する。
【００３４】
入力画像処理部２２２は、メモリ制御部２２０から転送された画像データに対し、例えばγ補正やＭＴＦ（Modulation  Transfer  Function）補正など入力特性に起因する画像処理、及び変倍処理などを行い、コントローラ２４０に転送する。また、入力画像処理部２２２は、コントローラ２４０から転送された画像データを出力画像処理部２２８に出力する。
【００３５】
出力画像処理部２２８は、入力画像処理部２２２から入力された画像データに、例えばフィルタ処理や色空間変換処理など出力特性に合わせた画像処理を行い、ＬＤドライバ２３０に出力する。
【００３６】
ＬＤドライバ２３０は、出力画像処理部２２８から入力された画像データに応じてＬＤを駆動し、レーザ光を図示しない画像形成部の感光体に照射させる。感光体には静電潜像が形成され、転写、定着を経てプリント画像が出力される。
【００３７】
ＣＰＵ２１６は、ＣＰＵメモリ２１８をワーク領域に用いて、画像処理部２１０の各部、画像読取ユニット１１０、ＣＩＳ１５０、及びＡＤＦ１４０を制御する。またＣＰＵ２１６は、コントローラ２４０のＣＰＵ２４２と通信し、各種データを送受信する。なお、入力画像処理部２２２がハードウェア的に行う変倍処理を、ＣＰＵ２１６が、ソフトウェア的に行うようにしてもよい。
【００３８】
コントローラ２４０は、ＣＰＵ２４２と、ＣＰＵ２４２に接続されている画像コントローラ２４４と、ＣＰＵ２４２に接続されているＩ／Ｏコントローラ２４６と、Ｉ／Ｏコントローラ２４６に接続されている入力部２４８とを、備える。
【００３９】
画像コントローラ２４４は、入力画像処理部２２２から転送された画像データを図示せぬＨＤＤ（Hard  Disk  Drive）などに記憶する。また、画像コントローラ２４４は、ＨＤＤに記憶されている画像データを読み出し、画像処理部２１０に転送する。
【００４０】
入力部２４８（モード入力手段の一例）は、原稿の読取開始を指示する入力や読取モードの入力など各種入力を行うものである。
【００４１】
ＣＰＵ２４２は、コントローラ２４０の各部を制御する。またＣＰＵ２４２は、画像処理部２１０のＣＰＵ２１６と通信し、入力部２４８からＩ／Ｏコントローラ２４６を介して入力されたデータなど各種データを送受信する。
【００４２】
次に、第１実施形態の複合機の動作について説明する。
【００４３】
図３は、第１実施形態の複合機１０で行われる両面読取処理の手順の流れの一例を示すフローチャートである。なお、図３に示す例では、ＡＤＦ１４０の原稿トレイ１４２に原稿が載置され、入力部２４８からの入力に基づいて入力画像処理部２２２により両面読取モードが設定されている状態で、入力部２４８から読取開始入力が行われたものとする。また、図３では、機械的な変倍の範囲が５０％〜１００％（３００ｄｐｉ〜６００ｄｐｉ）であり、スキャナ装置１００が等倍読取を行う場合、読取線速が３００ｍｍ／ｓｅｃ、表面読取ライン周期が１４１μｓｅｃ、表面読取分解能が６００ｄｐｉ、裏面読取ライン周期が１４１μｓｅｃ、裏面読取分解能が６００ｄｐｉである場合を例に取り説明するが、これに限定されるものではない。
【００４４】
まず、ＣＰＵ２１６は、入力部２４８からＣＰＵ２４２を介して読取開始入力を受け付けると、ＬＥＤ１５２の点灯Ｄｕｔｙを裏面読取ライン周期の下限値以下に設定する。詳細は後述するが、図３に示す例では、裏面読取ライン周期の下限値は、７０．５（１４１×１／２）μｓｅｃであるため、ＣＰＵ２１６は、ＬＥＤ１５２の点灯Ｄｕｔｙを７０μｓｅｃに設定するものとする（ステップＳ１００）。
【００４５】
続いて、ＣＰＵ２１６は、表面読取ライン周期（第１読取周期の一例）を１４１μｓｅｃに設定する（ステップＳ１０２）。
【００４６】
続いて、読取開始入力前に入力部２４８から変倍率を入力する変倍入力が行われている場合（ステップＳ１０４でＹｅｓ）、ＣＰＵ２１６は、入力部２４８からＣＰＵ２４２を介して受け付けた変倍率に応じて読取線速（搬送速度の一例）を設定する。具体的には、ＣＰＵ２１６は、等倍読取を行う場合の読取線速である３００ｍｍ／ｓｅｃを変倍率で除した速度を読取線速に設定する（ステップＳ１０６）。例えば、変倍率が１／２（５０％）である場合、ＣＰＵ２１６は、読取線速を６００（３００／（１／２））ｍｍ／ｓｅｃに設定する。ここで、図３に示す例では、変倍の範囲が５０％〜１００％であるため、読取線速は、３００ｍｍ／ｓｅｃ〜６００ｍｍ／ｓｅｃの範囲で設定される。
【００４７】
続いて、ＣＰＵ２１６は、入力部２４８からＣＰＵ２４２を介して受け付けた変倍率に応じて裏面読取ライン周期（第２読取周期の一例）を設定する。具体的には、ＣＰＵ２１６は、等倍読取を行う場合の裏面読取ライン周期である１４１μｓｅｃを変倍率で乗じた周期を裏面読取ライン周期に設定する（ステップＳ１０８）。例えば、変倍率が１／２（５０％）である場合、ＣＰＵ２１６は、裏面読取ライン周期を７０．５（１４１×１／２）μｓｅｃに設定する。ここで、図３に示す例では、変倍の範囲が５０％〜１００％であるため、裏面読取ライン周期は、７０．５μｓｅｃ〜１４１μｓｅｃの範囲で設定され、裏面読取ライン周期の下限値は、７０．５μｓｅｃとなる。
【００４８】
続いて、ＣＰＵ２１６は、入力部２４８からＣＰＵ２４２を介して受け付けた変倍率に応じて表面読取分解能（第１分解能の一例）を設定する。具体的には、ＣＰＵ２１６は、等倍読取を行う場合の表面読取分解能である６００ｄｐｉを変倍率で乗じた分解能を表面読取分解能に設定する（ステップＳ１１０）。例えば、変倍率が１／２（５０％）である場合、ＣＰＵ２１６は、表面読取分解能を３００（６００×１／２）ｄｐｉに設定する。ここで、図３に示す例では、変倍の範囲が５０％〜１００％であるため、表面読取分解能は、３００ｄｐｉ〜６００ｄｐｉの範囲で設定される。なお、裏面読取分解能（第２分解能の一例）は、６００ｄｐｉに固定されている。
【００４９】
一方、読取開始入力前に入力部２４８から変倍率を入力する変倍入力が行われていない場合（ステップＳ１０４でＮｏ）、ＣＰＵ２１６は、等倍読取を行う場合の読取線速である３００ｍｍ／ｓｅｃを読取線速に設定する（ステップＳ１１２）。
【００５０】
続いて、ＣＰＵ２１６は、等倍読取を行う場合の裏面読取ライン周期である１４１μｓｅｃを裏面読取ライン周期に設定する（ステップＳ１１４）。
【００５１】
続いて、ＣＰＵ２１６は、等倍読取を行う場合の表面読取分解能である６００ｄｐｉを表面読取分解能に設定する（ステップＳ１１６）。なお、裏面読取分解能は、６００ｄｐｉに固定されている。
【００５２】
そして、各種パラメータの設定が終了し、ＣＰＵ２１６が駆動モータの制御を開始すると、原稿搬送機構１４８は、ＣＰＵ２１６により設定された読取線速で原稿の搬送を開始する（ステップＳ１１８）。
【００５３】
続いて、画像読取ユニット１１０は、ＣＰＵ２１６により設定された表面読取ライン周期及び表面読取分解能などに従って、原稿搬送機構１４８により搬送された原稿の表面の画像データを読み取り、ＣＩＳ１５０は、ＣＰＵ２１６により設定された点灯Ｄｕｔｙ及び裏面読取ライン周期などに従って、原稿搬送機構１４８により搬送された原稿の裏面の画像データを読み取る（ステップＳ１２０）。
【００５４】
図４は、等倍読取を行う場合に入力画像処理部２２２とＣＩＳ１５０との間でやり取りされる信号の一例を示すタイミングチャート図である。
【００５５】
図４に示す例では、裏面読取ライン周期である１４１μｓｅｃ毎にライン同期信号がＣＩＳ１５０で生成され入力画像処理部２２２に入力されている。また、ライン同期信号と同期してＬＥＤ１５２の点灯を示すランプ点灯信号の生成がＣＩＳ１５０で開始され、点灯Ｄｕｔｙで設定された７０μｓｅｃの間、入力画像処理部２２２へ入力されている。また、画像信号が、裏面読取ライン周期内でＣＩＳ１５０から入力画像処理部２２２に入力されている。
【００５６】
つまり、図４に示す例では、ＣＩＳ１５０は、１４１μｓｅｃ毎に原稿の裏面の１ライン分の画像データの読み取りを開始するとともに、７０μｓｅｃの期間ＬＥＤ１５２を点灯させる。そして、ＣＩＳ１５０は、１４１μｓｅｃの期間内で、原稿の裏面の１ライン分の画像データを読み取って入力画像処理部２２２に出力する。
【００５７】
図５は、１／２の変倍率で変倍読取を行う場合に入力画像処理部２２２とＣＩＳ１５０との間でやり取りされる信号の一例を示すタイミングチャート図である。
【００５８】
図５に示す例では、裏面読取ライン周期である７０．５μｓｅｃ毎にライン同期信号がＣＩＳ１５０で生成され入力画像処理部２２２に入力されている。また、ライン同期信号と同期してＬＥＤ１５２の点灯を示すランプ点灯信号の生成がＣＩＳ１５０で開始され、点灯Ｄｕｔｙで設定された７０μｓｅｃの間、入力画像処理部２２２へ入力されている。また、画像信号が、裏面読取ライン周期内でＣＩＳ１５０から入力画像処理部２２２に入力されている。なお、画素クロック周波数は、裏面読取ライン周期を変倍率に応じて変更した場合であっても有効画像データの転送が可能な周波数となっており、変倍率に応じた裏面読取ライン周期の変更を可能としている。
【００５９】
つまり、図５に示す例では、ＣＩＳ１５０は、７０．５μｓｅｃ毎に原稿の裏面の１ライン分の画像データの読み取りを開始するとともに、７０μｓｅｃの期間ＬＥＤ１５２を点灯させる。そして、ＣＩＳ１５０は、７０．５μｓｅｃの期間内で、原稿の裏面の１ライン分の画像データを読み取って入力画像処理部２２２に出力する。
【００６０】
なお、図５に示す例の場合、画像読取ユニット１１０により読み取られた原稿の表面の１ライン分の画像データは、副走査方向に機械的に５０％（３００ｄｐｉ）への変倍が行われているが、ＣＩＳ１５０により読み取られた原稿の裏面の１ライン分の画像データは、変倍が行われていない。このため、入力画像処理部２２２は、副走査方向に電気的に５０％（３００ｄｐｉ）への変倍を行う。
【００６１】
そして、画像読取ユニット１１０は、原稿の表面の全ライン分の画像データを読み取ると読み取りを終了し、ＣＩＳ１５０は、原稿の裏面の全ライン分の画像データを読み取ると読み取りを終了する（ステップＳ１２２）。
【００６２】
続いて、ＣＰＵ２１６が駆動モータの制御を終了すると、原稿搬送機構１４８は、原稿の搬送を終了する（ステップＳ１２４）。
【００６３】
以上のように第１実施形態では、分解能が固定されている場合であっても、縮小率に応じて読取線速を速くするとともに、縮小率に応じて読取ライン周期を短くして、電気的に変倍を行うので、原稿の読み取り速度の低下、及び生産性の低下を防止でき、機械的な変倍を行う場合と同様の生産性を保つことができる。
【００６４】
また第１実施形態では、ＬＥＤ１５２の点灯Ｄｕｔｙを読取ライン周期の下限値以下に制御しているため、読取ライン周期を変倍率に応じて変更しても光蓄積時間を一定に保つことができ、読取特性の変化、及び画像品質の劣化を防止することができる。なお、ＬＥＤ１５２の点灯Ｄｕｔｙは、スキャナ１００の読取性能（Ｓ／Ｎ）を満足するのに必要な照度を有する照明系の設計がなされているものとする。
【００６５】
（変形例１）
上記第１実施形態では、原稿の表面を機械的に変倍し、原稿の裏面を電気的に変倍する例について説明した。変形例１では、画像データの生産性を優先するか再利用性を優先するかに応じて、上述した態様で変倍を行うか、原稿の両面を電気的に変倍するかを選択する例について説明する。以下では、第１実施形態との相違点の説明を主に行い、第１実施形態と同様の機能を有する構成要素については、その説明を省略する。
【００６６】
図６は、変形例１の複合機１０で行われる両面読取処理の手順の流れの一例を示すフローチャートである。
【００６７】
まず、ステップＳ２００〜Ｓ２０４までの処理は、図３に示すフローチャートのステップＳ１００〜Ｓ１０４までの処理と同様であるため、説明を省略する。
【００６８】
ステップＳ２０５では、読取開始入力前に入力部２４８から画像データの生産性を優先する生産性モードの入力が行われている場合（ステップＳ２０５でＹｅｓ）、ステップＳ２０６へ進み、画像データの再利用性を優先する再利用性モードの入力が行われている場合（ステップＳ２０５でＮｏ）、ステップＳ２１２へ進む。
【００６９】
生産性モードの入力が行われている場合のステップＳ２０６〜Ｓ２１０、及びステップＳ２１８〜Ｓ２２４までの処理は、それぞれ、図３に示すフローチャートのステップＳ１０６〜Ｓ１１０、及びステップＳ１１８〜Ｓ１２４までの処理と同様であるため、説明を省略する。
【００７０】
また、再利用性モードの入力が行われている場合のステップＳ２１２〜Ｓ２１８、及びステップＳ２２２〜Ｓ２２４までの処理は、それぞれ、図３に示すフローチャートのステップＳ１１２〜Ｓ１１８、及びステップＳ１２２〜Ｓ１２４までの処理と同様であるため、説明を省略する。
【００７１】
再利用性モードの入力が行われている場合のステップＳ２２０では、入力画像処理部２２２は、画像読取ユニット１１０により読み取られた原稿の表面の画像データ、及びＣＩＳ１５０により読み取られた原稿の裏面の画像データを画像コントローラ２４４に転送してＨＤＤなどに記憶させる。そして、入力画像処理部２２２は、画像コントローラ２４４からＨＤＤなどに記憶された表面及び裏面の画像データの転送を受け、電気的な変倍を行う。
【００７２】
つまり、再利用性モードでは、変倍を行う場合であっても、原稿の表面・裏面ともに等倍読取が行われ、等倍で読み取られた画像データが保存された後に、入力画像処理部２２２により指定された変倍率への電気的な変倍が行われる。
【００７３】
このように、再利用性モードでは、変倍を行う場合であっても、等倍で読み取られた画像データが保存されるため、保存された画像データを読み取り時に指定された変倍率とは異なる変倍率で変倍して、コピー画像として出力したり、ＦＡＸで送信したりすることが可能となり、画像データの再利用性を高めることができる。
【００７４】
（変形例２）
上記第１実施形態では、原稿の表面を機械的に変倍し、原稿の裏面を電気的に変倍する例について説明した。変形例２では、スキャナアプリによる読み取りを行うスキャナアプリモードか、コピーアプリによる読み取りを行うコピーアプリモードかに応じて、上述した態様で変倍を行うか、原稿の両面を電気的に変倍するかを選択する例について説明する。以下では、第１実施形態との相違点の説明を主に行い、第１実施形態と同様の機能を有する構成要素については、その説明を省略する。
【００７５】
図７は、変形例２の複合機１０で行われる両面読取処理の手順の流れの一例を示すフローチャートである。
【００７６】
まず、ステップＳ３００〜Ｓ３０４までの処理は、図３に示すフローチャートのステップＳ１００〜Ｓ１０４までの処理と同様であるため、説明を省略する。
【００７７】
ステップＳ３０５では、読取開始入力前に入力部２４８からスキャナアプリモードの入力が行われている場合（ステップＳ３０５でＹｅｓ）、ステップＳ３０６へ進み、コピーアプリモードの入力が行われている場合（ステップＳ３０５でＮｏ）、ステップＳ３１２へ進む。
【００７８】
スキャナアプリモードの入力が行われている場合のステップＳ３０６〜Ｓ３１０、及びステップＳ３１８〜Ｓ３２４までの処理は、それぞれ、図３に示すフローチャートのステップＳ１０６〜Ｓ１１０、及びステップＳ１１８〜Ｓ１２４までの処理と同様であるため、説明を省略する。
【００７９】
また、コピーアプリモードの入力が行われている場合のステップＳ３１２〜Ｓ３１８、及びステップＳ３２２〜Ｓ３２４までの処理は、それぞれ、図３に示すフローチャートのステップＳ１１２〜Ｓ１１８、及びステップＳ１２２〜Ｓ１２４までの処理と同様であるため、説明を省略する。
【００８０】
コピーアプリモードの入力が行われている場合のステップＳ３２０では、入力画像処理部２２２は、画像読取ユニット１１０により読み取られた原稿の表面の画像データ、及びＣＩＳ１５０により読み取られた原稿の裏面の画像データを画像コントローラ２４４に転送してＨＤＤなどに記憶させる。そして、入力画像処理部２２２は、画像コントローラ２４４からＨＤＤなどに記憶された表面及び裏面の画像データの転送を受け、電気的な変倍を行って、出力画像処理部２２８に出力し、コピー画像として出力させる。
【００８１】
つまり、コピーアプリモードでは、変倍を行う場合であっても、原稿の表面・裏面ともに等倍読取が行われ、等倍で読み取られた画像データが保存された後に、入力画像処理部２２２により指定された変倍率への電気的な変倍が行われ、コピー画像として出力される。
【００８２】
このようにすれば、スキャナアプリモードでは、画像データの生産性を優先でき、コピーアプリモードでは、画像データの再利用性を優先することができる。なお、変形例２では、スキャナアプリモードで画像データの生産性を優先し、コピーアプリモードで画像データの再利用性を優先する例について説明したが、各アプリモードと何を優先するかの関係はこれに限定されるものではない。例えば、スキャナアプリモードで画像データの再利用性を優先し、コピーアプリモードで画像データの生産性を優先するようにしてもよいし、アプリモード毎に再利用性を優先するか生産性を優先するかを入力部２４８から入力するようにしてもよい。
【００８３】
（変形例３）
上記第１実施形態では、原稿の表面を機械的に変倍し、原稿の裏面を電気的に変倍する例について説明した。変形例３では、片面読取の場合には、原稿の表面を機械的に変倍し、両面読取の場合には、原稿の両面を電気的に変倍するか、又は原稿の表面を機械的及び電気的に変倍するとともに原稿の裏面を電気的に変倍する例について説明する。以下では、第１実施形態との相違点の説明を主に行い、第１実施形態と同様の機能を有する構成要素については、その説明を省略する。
【００８４】
図８は、変形例３の複合機１０で行われる読取処理の手順の流れの一例を示すフローチャートである。なお、図８に示す例では、ＡＤＦ１４０の原稿トレイ１４２に原稿が載置され、入力部２４８から変倍率を入力する変倍入力が行われている状態で、入力部２４８から読取開始入力が行われたものとする。また、図８では、機械的な変倍の範囲が４００ｄｐｉ〜６００ｄｐｉであり、３００ｄｐｉ〜４００ｄｐｉへの原稿の表面の変倍は、機械的な変倍及び電気的な変倍を併用して行うものとする。
【００８５】
まず、ＣＰＵ２１６は、入力部２４８からＣＰＵ２４２を介して読取開始入力を受け付けると、ＬＥＤ１５２の点灯Ｄｕｔｙを裏面読取ライン周期の下限値以下に設定する。詳細は後述するが、図８に示す例では、裏面読取ライン周期の下限値は、９４（１４１×２／３）μｓｅｃであるため、ＣＰＵ２１６は、ＬＥＤ１５２の点灯Ｄｕｔｙを９３μｓｅｃに設定するものとする（ステップＳ４００）。
【００８６】
続いて、ＣＰＵ２１６は、表面読取ライン周期を１４１μｓｅｃに設定する（ステップＳ４０２）。
【００８７】
続いて、読取開始入力前に入力部２４８から片面読取モードの入力が行われている場合（ステップＳ４０４でＮｏ）、ＣＰＵ２１６は、入力部２４８からＣＰＵ２４２を介して受け付けた変倍率に応じて読取線速を設定する。具体的には、ＣＰＵ２１６は、等倍読取を行う場合の読取線速である３００ｍｍ／ｓｅｃを変倍率で除した速度を読取線速に設定する（ステップＳ４０６）。
【００８８】
続いて、ＣＰＵ２１６は、入力部２４８からＣＰＵ２４２を介して受け付けた変倍率に応じて表面読取分解能を設定する。具体的には、ＣＰＵ２１６は、等倍読取を行う場合の表面読取分解能である６００ｄｐｉを変倍率で乗じた分解能を表面読取分解能に設定する（ステップＳ４０８）。
【００８９】
一方、読取開始入力前に入力部２４８から両面読取モードの入力が行われ（ステップＳ４０４でＹｅｓ）、ＣＰＵ２１６により受け付けられた変倍率が示す変倍範囲が３００ｄｐｉ〜４００ｄｐｉの範囲内である場合（ステップＳ４１０でＹｅｓ）、ＣＰＵ２１６は、読取線速を４５０（３００／（２／３））ｍｍ／ｓｅｃに設定する（ステップＳ４１２）。
【００９０】
続いて、ＣＰＵ２１６は、裏面読取ライン周期を９４（１４１×２／３）μｓｅｃに設定する（ステップＳ４１４）。ここで、図８に示す例では、機械的な変倍の範囲が４００ｄｐｉ〜６００ｄｐｉであるため、裏面読取ライン周期は、９４μｓｅｃ〜１４１μｓｅｃの範囲となり、裏面読取ライン周期の下限値は、９４μｓｅｃとなる。
【００９１】
続いて、ＣＰＵ２１６は、表面読取分解能を４００（６００×２／３）ｄｐｉに設定する（ステップＳ４１６）。なお、裏面読取分解能は、６００ｄｐｉに固定されている。
【００９２】
また、読取開始入力前に入力部２４８から両面読取モードの入力が行われ（ステップＳ４０４でＹｅｓ）、ＣＰＵ２１６により受け付けられた変倍率が示す変倍範囲が３００ｄｐｉ〜４００ｄｐｉの範囲外である場合（ステップＳ４１０でＮｏ）、ＣＰＵ２１６は、等倍読取を行う場合の読取線速である３００ｍｍ／ｓｅｃを読取線速に設定する（ステップＳ４１８）。
【００９３】
続いて、ＣＰＵ２１６は、等倍読取を行う場合の裏面読取ライン周期である１４１μｓｅｃを裏面読取ライン周期に設定する（ステップＳ４２０）。
【００９４】
続いて、ＣＰＵ２１６は、等倍読取を行う場合の表面読取分解能である６００ｄｐｉを表面読取分解能に設定する（ステップＳ４２２）。なお、裏面読取分解能は、６００ｄｐｉに固定されている。
【００９５】
そして、各種パラメータの設定が終了し、ＣＰＵ２１６が駆動モータの制御を開始すると、原稿搬送機構１４８は、ＣＰＵ２１６により設定された読取線速で原稿の搬送を開始する（ステップＳ４２４）。
【００９６】
続いて、片面読取モードの入力が行われている場合（ステップＳ４０４でＮｏ）のステップＳ４２６では、画像読取ユニット１１０は、ＣＰＵ２１６により設定された表面読取ライン周期及び表面読取分解能などに従って、原稿搬送機構１４８により搬送された原稿の表面の画像データを読み取る。この場合、画像読取ユニット１１０により読み取られた原稿の表面の画像データは、副走査方向に指定された倍率への機械的な変倍が行われている。
【００９７】
また、両面読取モードの入力が行われ、変倍範囲が３００ｄｐｉ〜４００ｄｐｉの範囲内である場合（ステップＳ４１０でＹｅｓ）のステップＳ４２６では、画像読取ユニット１１０は、ＣＰＵ２１６により設定された表面読取ライン周期及び表面読取分解能などに従って、原稿搬送機構１４８により搬送された原稿の表面の画像データを読み取る。また、ＣＩＳ１５０は、ＣＰＵ２１６により設定された点灯Ｄｕｔｙ及び裏面読取ライン周期などに従って、原稿搬送機構１４８により搬送された原稿の裏面の画像データを読み取る。
【００９８】
この場合、画像読取ユニット１１０により読み取られた原稿の表面の画像データは、副走査方向に４００ｄｐｉへの機械的な変倍が行われ、ＣＩＳ１５０により読み取られた原稿の裏面の画像データは、変倍が行われていない。このため、入力画像処理部２２２は、４００ｄｐｉへの変倍が行われた画像データが画像読取ユニット１１０から転送されると、指定された倍率となるように、更に副走査方向に電気的な変倍を行う。同様に、入力画像処理部２２２は、ＣＩＳ１５０から原稿の裏面の画像データが転送されると、副走査方向に指定された倍率への電気的な変倍を行う。
【００９９】
また、両面読取モードの入力が行われ、変倍範囲が３００ｄｐｉ〜４００ｄｐｉの範囲外である場合（ステップＳ４１０でＮｏ）のステップＳ４２６では、画像読取ユニット１１０は、ＣＰＵ２１６により設定された表面読取ライン周期及び表面読取分解能などに従って、原稿搬送機構１４８により搬送された原稿の表面の画像データを読み取る。また、ＣＩＳ１５０は、ＣＰＵ２１６により設定された点灯Ｄｕｔｙ及び裏面読取ライン周期などに従って、原稿搬送機構１４８により搬送された原稿の裏面の画像データを読み取る。
【０１００】
この場合、画像読取ユニット１１０により読み取られた原稿の表面の画像データ、及びＣＩＳ１５０により読み取られた原稿の裏面の画像データは、変倍が行われていない。このため、入力画像処理部２２２は、画像読取ユニット１１０から原稿の表面の画像データが転送されると、副走査方向に指定された倍率への電気的な変倍を行い、同様に、入力画像処理部２２２は、ＣＩＳ１５０から原稿の裏面の画像データが転送されると、副走査方向に指定された倍率への電気的な変倍を行う。
【０１０１】
そして、画像読取ユニット１１０は、原稿の表面の全ライン分の画像データを読み取ると読み取りを終了し、ＣＩＳ１５０は、原稿の裏面の全ライン分の画像データを読み取ると読み取りを終了する（ステップＳ４２８）。
【０１０２】
続いて、ＣＰＵ２１６が駆動モータの制御を終了すると、原稿搬送機構１４８は、原稿の搬送を終了する（ステップＳ４３０）。
【０１０３】
このようにすれば、片面読取モードでは機械的な変倍のみが行われるため、生産性を最大限発揮することができる。
【０１０４】
また両面読取モードでは、縮小率が大きい場合（３００ｄｐｉ〜４００ｄｐｉの場合）、機械的な変倍及び電気的な変倍を併用して変倍するようにしている。例えば３５０ｄｐｉへ変倍する場合、原稿の表面の画像データは、まず６００ｄｐｉから４００ｄｐｉへ機械的に変倍され、その後３５０ｄｐｉへ電気的に変倍される。原稿の裏面の画像データは、６００ｄｐｉから３５０ｄｐｉへ電気的に変倍される。
【０１０５】
これにより、原稿の表面の画像データの変倍を機械的な変倍のみで対応する場合と比べ、裏面読取ライン周期の下限値を長くすることができ、ＬＥＤ１５２の点灯Ｄｕｔｙも長くすることができる。この結果、ＬＥＤ１５２の照度も小さくすることができ、コストの上昇、及び発熱の増加などの副作用の発生を抑制することができる。つまり、機械的な変倍及び電気的な変倍を併用することにより、生産性を保ちつつ、上述したような副作用の発生を抑制することができる。
【０１０６】
（変形例４）
なお、上述した第１〜第３変形例は、適宜組み合わせることもできる。第１変形例と第３変形例とを組み合わせ、片面読取又は両面読取を行う場合に生産性を優先するか、再利用性を優先するかを選択できるようにすることもできる。
【０１０７】
（第２実施形態）
上記第１実施形態では、ＬＥＤの点灯を制御して光蓄積時間を制御する例について説明したが、第２実施形態では、ＣＩＳの電子シャッタ機能を用いて光蓄積時間を制御する例について説明する。以下では、第１実施形態との相違点の説明を主に行い、第１実施形態と同様の機能を有する構成要素については、第１実施形態と同様の名称・符号を付し、その説明を省略する。
【０１０８】
図９は、第２実施形態の複合機１０１０が備えるスキャナ装置１１００（画像読取装置の一例）の概略構成の一例を示す構成図である。図１０は、第２実施形態の複合機１０１０のハードウェア構成の一例を示すブロック図である。第２実施形態の複合機１０１０では、ＣＩＳ１１５０、及び画像処理部１２１０の入力画像処理部１２２２が第１実施形態の複合機１０と相違する。
【０１０９】
ＣＩＳ１１５０は、第１実施形態のＣＩＳ１５０と異なり、光源としてキセノンランプ１１５２を備えている。キセノンランプ１１５２は、応答性の観点から１ライン周期の中で点灯・消灯を制御することが困難である。そこで、第２実施形態のＣＩＳ１１５０では、キセノンランプ１１５２の点灯を制御するのではなく、電子シャッタ機能を使用して、光蓄積時間を読取ライン周期の下限値以下に制御する。但し、光源にＬＥＤを用いている場合であっても電子シャッタ機能を使用した同様の制御を行うことができる。
【０１１０】
図１１は、第２実施形態の複合機１０１０で行われる両面読取処理の手順の流れの一例を示すフローチャートである。なお、前提条件などは図３に示すフローチャートと同様であるものとする。
【０１１１】
まず、ＣＰＵ２１６は、入力部２４８からＣＰＵ２４２を介して読取開始入力を受け付けると、ＣＩＳ１１５０の電子シャッタ設定を裏面読取ライン周期の下限値以下に設定する。図１１に示す例では、裏面読取ライン周期の下限値は、７０．５（１４１×１／２）μｓｅｃであるため、ＣＰＵ２１６は、電子シャッタ設定を７０μｓｅｃに設定するものとする（ステップＳ１１００）。
【０１１２】
続いて、ステップＳ１１０２〜Ｓ１１１８までの処理は、図３に示すフローチャートのステップＳ１０２〜Ｓ１１８までの処理と同様であるため、説明を省略する。
【０１１３】
ステップＳ１１２０では、画像読取ユニット１１０は、ＣＰＵ２１６により設定された表面読取ライン周期及び表面読取分解能などに従って、原稿搬送機構１４８により搬送された原稿の表面の画像データを読み取り、ＣＩＳ１１５０は、ＣＰＵ２１６により設定された電子シャッタ設定及び裏面読取ライン周期などに従って、原稿搬送機構１４８により搬送された原稿の裏面の画像データを読み取る。
【０１１４】
図１２は、等倍読取を行う場合に入力画像処理部１２２２とＣＩＳ１１５０との間でやり取りされる信号の一例を示すタイミングチャート図である。
【０１１５】
図１２に示す例では、裏面読取ライン周期である１４１μｓｅｃ毎にライン同期信号がＣＩＳ１１５０で生成され入力画像処理部１２２２に入力されている。また、ライン同期信号と同期して、電子シャッタの解除を示す電子シャッタ制御信号の生成がＣＩＳ１１５０で開始され、電子シャッタ設定で設定された７０μｓｅｃの間、入力画像処理部１２２２に入力されている。また、画像信号が、裏面読取ライン周期内でＣＩＳ１１５０から入力画像処理部１２２２に入力されている。なお、ランプ点灯信号は、画像読取期間の間入力されている。
【０１１６】
つまり、図１２に示す例では、ＣＩＳ１１５０は、１４１μｓｅｃ毎に原稿の裏面の１ライン分の画像データの読み取りを開始するとともに、７０μｓｅｃの期間電子シャッタを解除して光を蓄積する。そして、ＣＩＳ１１５０は、１４１μｓｅｃの期間内で、原稿の裏面の１ライン分の画像データを読み取って入力画像処理部１２２２に出力する。キセノンランプ１１５２は、画像読取期間の間点灯されている。
【０１１７】
図１３は、１／２の変倍率で変倍読取を行う場合に入力画像処理部１２２２とＣＩＳ１１５０との間でやり取りされる信号の一例を示すタイミングチャート図である。
【０１１８】
図１３に示す例では、裏面読取ライン周期である７０．５μｓｅｃ毎にライン同期信号がＣＩＳ１１５０で生成され入力画像処理部１２２２に入力されている。また、ライン同期信号と同期して、電子シャッタの解除を示す電子シャッタ制御信号の生成がＣＩＳ１１５０で開始され、電子シャッタ設定で設定された７０μｓｅｃの間、入力画像処理部１２２２に入力されている。また、画像信号が、裏面読取ライン周期内でＣＩＳ１１５０から入力画像処理部１２２２に入力されている。なお、ランプ点灯信号は、画像読取期間の間入力されている。
【０１１９】
つまり、図１３に示す例では、ＣＩＳ１１５０は、７０．５μｓｅｃ毎に原稿の裏面の１ライン分の画像データの読み取りを開始するとともに、７０μｓｅｃの期間電子シャッタを解除して光を蓄積する。そして、ＣＩＳ１１５０は、７０．５μｓｅｃの期間内で、原稿の裏面の１ライン分の画像データを読み取って入力画像処理部１２２２に出力する。キセノンランプ１１５２は、画像読取期間の間点灯されている。
【０１２０】
なお、図１３に示す例の場合、画像読取ユニット１１１０により読み取られた原稿の表面の１ライン分の画像データは、副走査方向に機械的に５０％（３００ｄｐｉ）への変倍が行われているが、ＣＩＳ１１５０により読み取られた原稿の裏面の画像データは、変倍が行われていない。このため、入力画像処理部１２２２は、ＣＩＳ１１５０から原稿の裏面の画像データが転送されると、副走査方向に電気的に５０％（３００ｄｐｉ）への変倍を行う。
【０１２１】
以下、ステップＳ１１２２〜Ｓ１１２４までの処理は、図３に示すフローチャートのステップＳ１２２〜Ｓ１２４までの処理と同様であるため、説明を省略する。
【０１２２】
以上のように第２実施形態においても、分解能が固定されている場合であっても、縮小率に応じて読取線速を速くするとともに、縮小率に応じて読取ライン周期を短くして、電気的に変倍を行うので、原稿の読み取り速度の低下、及び生産性の低下を防止でき、機械的な変倍を行う場合と同様の生産性を保つことができる。
【０１２３】
また第２実施形態では、ＣＩＳ１１５０の電子シャッタ設定を読取ライン周期の下限値以下に制御しているため、読取ライン周期を変倍率に応じて変更しても光蓄積時間を一定に保つことができ、読取特性の変化、及び画像品質の劣化を防止することができる。なお、キセノンランプ１１５２は、スキャナ装置１１００の読取性能（Ｓ／Ｎ）を満足するのに必要な照度を有する照明系の設計がなされているものとする。
【０１２４】
（変形例５）
なお、上述した第２実施形態においても、第１実施形態で説明した各変形例と同様の変形を行うことができる。
【符号の説明】
【０１２５】
１０、１０１０  複合機
１００、１１００  スキャナ装置
１１０  画像読取ユニット
１１２  スリットガラス
１１４  コンタクトガラス
１１６  基準白板
１１８  ランプ
１２０  第１ミラー
１２２  第１キャリッジ
１２４  第２ミラー
１２６  第３ミラー
１２８  第２キャリッジ
１３０  ＣＣＤイメージセンサ
１３２  レンズユニット
１３４  信号処理基板
１４０  ＡＤＦ
１４２  原稿トレイ
１４４  基準白色ローラ
１４６  排紙トレイ
１４８  原稿搬送機構
１５０、１１５０  ＣＩＳ
１５２  ＬＥＤ
２１０、１２１０  画像処理部
２１２  データ変換部
２１４  データ変換部
２１６  ＣＰＵ
２１８  ＣＰＵメモリ
２２０  メモリ制御部
２２２、１２２２  入力画像処理部
２２４  バス
２２６  メモリ
２２８  出力画像処理部
２３０  ＬＤドライバ
２４０  コントローラ
２４２  ＣＰＵ
２４４  画像コントローラ
２４６  Ｉ／Ｏコントローラ
２４８  入力部
１１５２  キセノンランプ
【先行技術文献】
【特許文献】
【０１２６】
【特許文献１】特開２００９−３３７２３号公報
【特許文献２】特開２００５−２１７５６１号公報
【図１】
0005531690.tif 000002
【図２】
0005531690.tif 000003
【図３】
0005531690.tif 000004
【図４】
0005531690.tif 000005
【図５】
0005531690.tif 000006
【図６】
0005531690.tif 000007
【図７】
0005531690.tif 000008
【図８】
0005531690.tif 000009
【図９】
0005531690.tif 000010
【図１０】
0005531690.tif 000011
【図１１】
0005531690.tif 000012
【図１２】
0005531690.tif 000013
【図１３】
0005531690.tif 000014